(57)【要約】【課題】レンズ群を挟む鏡筒の内部と外部との間の熱伝導特性に優れ、レンズ群を構成するレンズに歪みや撓みが生じ難いレンズ鏡筒を提供する。【解決手段】レンズ鏡筒１は、第１レンズ２１および前記第２レンズ２２を保持するレンズ枠である第一群枠５を備え、第１レンズ２１、第２レンズ２２および第一群枠５は、レンズ鏡筒１の内部の空間を外部の空間から分離するように構成され、第１レンズ２１および第２レンズ２２の双方または何れか一方は、他方のレンズと対向していない側のレンズ表面の光学有効径の外側に、凹凸部３１が形成されている。【選択図】図２
2014013327.tif 000002
【特許請求の範囲】
【請求項１】
それぞれプラスチック材料からなる第１レンズおよび第２レンズを少なくとも有するレンズ群を備えるレンズ鏡筒において、
前記第１レンズおよび前記第２レンズを保持するレンズ枠を備え、
前記第１レンズ、前記第２レンズおよび前記レンズ枠は、前記レンズ鏡筒の内部の空間を外部の空間から分離するように構成され、
前記第１レンズおよび前記第２レンズの双方または何れか一方は、他方のレンズと対向していない側のレンズ表面の光学有効径の外側に、凹凸部が形成されることを特徴とするレンズ鏡筒。
【請求項２】
前記凹凸部は、少なくとも部分的に、前記凹凸部が形成された前記第１のレンズまたは前記第２のレンズの径方向に放射状に延びることを特徴とする請求項１に記載のレンズ鏡筒。
【請求項３】
前記凹凸部には、少なくとも部分的に、前記凹凸部が形成された前記第１レンズまたは前記第２レンズの周方向に延びる他の凹凸が重ねて設けられていることを特徴とする請求項２に記載のレンズ鏡筒。
【請求項４】
前記第１レンズは、第１の外周面と該第１の外周面よりも径の小さい第２の外周面とを有し、前記第１の外周面を前記レンズ枠の内周面に当接するように前記レンズ枠に嵌入して保持され、
前記第２レンズは、前記第１レンズの前記第２の外周面にすきまばめされることにより径方向の位置決めがなされていることを特徴とする請求項１〜３のいずれか一項に記載のレンズ鏡筒。
【請求項５】
前記レンズ枠は、前記内周面に沿って円環状の突出部を有し、
前記第１レンズおよび前記第２レンズは、前記突出部を挟んで該突出部に当接することにより光軸方向の位置決めがなされていることを特徴とする請求項４に記載のレンズ鏡筒。
【請求項６】
前記第１レンズは、第１の外周面と該第１の外周面よりも径の小さい第２の外周面とを有し、前記第１の外周面を前記レンズ枠の内周面に当接するように前記レンズ枠に嵌入して保持され、
前記第２レンズは、前記第１レンズの前記第２の外周面に嵌合することにより径方向および光軸方向の位置決めがなされていることを特徴とする請求項１〜３のいずれか一項に記載のレンズ鏡筒。
【発明の詳細な説明】
【技術分野】
【０００１】
本発明は、レンズ鏡筒に関するものである。
【背景技術】
【０００２】
近年、デジタルカメラ等の撮像装置に使用される撮像光学系として、安価なプラスチックレンズを使用したものが種々提案されている。
【０００３】
例えば、引用文献１には、プラスチックレンズと一体的に形成されたレンズ鏡筒内に、少なくとも1枚のガラスレンズを含むレンズを、その外周面がレンズ鏡筒の内壁面に当接して保持されるように組み込んだレンズ群が開示されている。このレンズ群では、隣接するレンズどうしが当接することにより、光軸方向に位置決めされている。
【先行技術文献】
【特許文献】
【０００４】
【特許文献１】特開平０８−０３６１２４号公報
【発明の概要】
【発明が解決しようとする課題】
【０００５】
しかしながら、特許文献１に開示のようなレンズ群を有するレンズ鏡筒では、プラスチックレンズとレンズ鏡筒とが一体的に形成され、さらに他のレンズがレンズ鏡筒の内壁に当接するように組み込まれている。このため、この構成では、レンズ群とレンズ鏡筒との間を境界として空気の移動が著しく制約されるので、レンズ鏡筒内部がレンズ鏡筒の外部から密閉された状態となる。
【０００６】
レンズ鏡筒の内部が外部から密閉されると、レンズ鏡筒内部と外部との間に温度差が生じ易くなる。その結果、レンズ群を構成するレンズ間で熱膨張の違いによる変形が発生したり、レンズ内部に応力が掛かったりすることが懸念される。とくに、レンズや鏡筒の熱伝導率が低いと、一旦生じた温度差が縮まり難いので、使用環境により周辺温度が変化すると、上述のような不具合が生じる虞がある。
【０００７】
したがって、これらの点に着目してなされた本発明の目的は、レンズ群を挟む鏡筒の内部と外部との間の熱伝導特性に優れ、レンズ群を構成するレンズに歪みや撓みが生じ難いレンズ鏡筒を提供することにある。
【課題を解決するための手段】
【０００８】
上記目的を達成するレンズ鏡筒の発明は、
それぞれプラスチック材料からなる第１レンズおよび第２レンズを少なくとも有するレンズ群を備えるレンズ鏡筒において、
前記第１レンズおよび前記第２レンズを保持するレンズ枠を備え、
前記第１レンズ、前記第２レンズおよび前記レンズ枠は、前記レンズ鏡筒の内部の空間を外部の空間から分離するように構成され、
前記第１レンズおよび前記第２レンズの双方または何れか一方は、他方のレンズと対向していない側のレンズ表面の光学有効径の外側に、凹凸部が形成されることを特徴とするものである。
【０００９】
前記凹凸部は、少なくとも部分的に、前記凹凸部が形成された前記第１のレンズまたは前記第２のレンズの径方向に放射状に延びることが好ましい。
【００１０】
さらに、前記凹凸部には、少なくとも部分的に、前記凹凸部が形成された前記第１レンズまたは前記第２レンズの周方向に延びる他の凹凸が重ねて設けられていることが好ましい。
【００１１】
前記第１レンズは、第１の外周面と該第１の外周面よりも径の小さい第２の外周面とを有し、前記第１の外周面を前記レンズ枠の内周面に当接するように前記レンズ枠に嵌入して保持され、前記第２レンズは、前記第１レンズの前記第２の外周面にすきまばめされることにより径方向の位置決めがなされるようにすることができる。
【００１２】
さらに、前記レンズ枠は、前記内周面に沿って円環状の突出部を有し、前記第１レンズおよび前記第２レンズは、前記突出部を挟んで該突出部に当接することにより光軸方向の位置決めがなされるようにすることができる。
【００１３】
あるいは、前記第１レンズは、第１の外周面と該第１の外周面よりも径の小さい第２の外周面とを有し、前記第１の外周面を前記レンズ枠の内周面に当接するように前記レンズ枠に嵌入して保持され、前記第２レンズは、前記第１レンズの前記第２の外周面に嵌合することにより径方向および光軸方向の位置決めがなされるようにしても良い。
【発明の効果】
【００１４】
本発明によれば、前記第１レンズおよび前記第２のレンズの双方または何れか一方は、他方のレンズと対向していない側のレンズ表面の光学有効径の外側に、凹凸部が形成されるので、レンズ群を挟む鏡筒の内部と外部との間の熱伝導特性に優れ、レンズ群を構成するレンズに歪みや撓みが生じ難いレンズ鏡筒を提供することができる。
【図面の簡単な説明】
【００１５】
【図１】本発明の一実施の形態に係るレンズ鏡筒の縦断面図である。
【図２】図１の第一群レンズを含む部分を拡大して示す側面図である。
【図３】図１の第２レンズを像側より見た正面図である。
【図４】本発明の第二実施の形態に係る第２レンズを像側より見た正面図である。
【図５】本発明の第三実施の形態に係るレンズ鏡筒の第一群レンズを含む部分を拡大して示す側面図である。
【図６】本発明の第四実施の形態に係るレンズ鏡筒の第一群レンズを含む部分を拡大して示す側面図である。
【発明を実施するための形態】
【００１６】
以下、本発明の実施の形態について、図面を参照して説明する。
【００１７】
（第一実施の形態）
図１は、本発明の第一実施の形態に係るレンズ鏡筒１の縦断面図である。
【００１８】
本実施の形態のレンズ鏡筒１は、図１に示すようにカメラ本体側に固定される固定枠２と、固定枠２の内周に嵌合して回転進退可能に支持される回転枠３と、回転枠３の内周に嵌合し、共に進退移動する直進案内枠４と、直進案内枠４の内方に挿入され、進退移動する第一群枠５と、直進案内枠４の内方に挿入され、進退移動するシャッタ枠７および第二群枠６と、固定枠２の後側内部に支持される第三群枠８、第四群枠９、および、撮像素子１０を含む撮像部ユニット（図示せず）と、固定枠２の外周部に支持されるズーム駆動ユニット（図示せず）とを有している。
【００１９】
また、第一群枠５、第二群枠６、第三群枠８および第四群枠９は、それぞれ、第一群レンズ１１、第二群レンズ１２、第三群レンズ１３および第四群レンズ１４を保持するレンズ枠である。また、第一群枠５は、前方部に開閉可能なバリア１６が設けられており、シャッタ枠７には、シャッタ羽根とこれを開閉駆動するシャッタアクチュエータ（図示せず）とが設けられている。
【００２０】
レンズ鏡筒１の沈胴状態からズーム駆動ユニット（図示せず）により回転枠３を回転駆動すると、第一群枠５、シャッタ枠７、第二群枠６は、直進案内枠４によりともに回転規制された状態で回転枠３の移動に伴って沈胴位置から撮影可能な位置まで繰り出されるとともに、回転枠３に設けられたカム溝に沿ってそれぞれ変位する。その後の、ズーム駆動時には、それぞれのズーム位置に進退移動する。
【００２１】
また、撮像時には、フォーカス駆動ユニット（図示せず）により第三群レンズを被写体距離に応じた位置に進退駆動する。
【００２２】
以上のような、２つ以上のレンズ群を保持するレンズ鏡筒１における、各レンズ枠の駆動方法としては、例えば、特開２００７−１９９３１２号公報等に開示されるように、種々の方法が公知である。したがって、本実施の形態におけるレンズ鏡筒１の駆動方法としては、そのような公知の方法を使用することができるので、詳細については省略する。
【００２３】
次に、第一群枠５による第一群レンズ１１の保持方法について説明する。図２は、図１の第一群レンズ１１を含む部分を拡大して示す図である。
【００２４】
第一群枠５は、第一群レンズを保持するために、レンズを保持する内周面が光軸を中心として円筒状となっている円筒部５ａを有している。この円筒部５ａの２つの内周面５ｂ１，５ｂ２の間には、光軸を中心とする円環状の突出部５ｃが内側に向けて形成されている。この突出部５ｃの内周面５ｂ１，５ｂ２からの高さは、第一群レンズ１１を通る光路を妨げないように、十分に小さく設計される。
【００２５】
第一群レンズ１１は、異なるプラスチック材料からなる第１レンズ２１と第２レンズ２２とによって構成される。第１レンズ２１は、第２レンズ２２の物体側（図２において左側）に位置し、例えば、ポリカーボネート材料により構成される負のパワーを有するレンズである。第２レンズ２２は、例えば、ゼオネックス材料より構成される正のパワーを有するレンズである。
【００２６】
第１レンズ２１は、第１の外周面２１ａと第１の外周面よりも径の小さい第２の外周面２１ｂとを有する。第１レンズ２１は、第１の外周面２１ａが形成された大径部分を物体側、第２の外周面２１ｂが形成された小径部分を像側（図２において右側）に向けて、第一群枠５の物体側の開口部から円筒部５ａの物体側の内周面５ｂ１内に嵌入されている。これによって、第１の外周面２１ａは、第一群枠５の内周面５ｂ１に当接して保持されるとともに、第２の外周面２１ｂを有する部分が突出部５ｃの内側を通り像側の開口部に向けて延在する。また、このとき第１レンズ２１の第１の外周面２１ａと第２の外周面２１ｂとの間の段差部分が、第一群枠５の突出部５ｃの物体側の側面に当接されて、光軸方向に位置決めされる。
【００２７】
一方、第２レンズ２２の外周は第一群枠５の円筒部５ａの像側の内周５ｂ２より僅かに小さい。また、第２レンズ２２の外周部２２ａは、物体側に張り出し、第１レンズ２１の第２の外周面２１ｂに対して緩く嵌合する形状となっている。これによって、第１レンズ２１の第２の外周面２１ｂの外側に像側の開口部からすきまばめ（遊嵌）されている。これにより、第２レンズ２２は径方向に位置決めされる。さらに、第２レンズ２２の外周部２２ａは、第一群枠５の突出部５ｃの像側の側面に当接されて、光軸方向に位置決めされる。図２に示すように、第１レンズ２１の像側の面と第２レンズ２２の物体側の面とは、直接接していない。
【００２８】
さらに、前記第１レンズ２１および前記第２レンズ２２は、それぞれ、接着剤により外周部で第一群枠５の内周面５ｂ１，５ｂ２に接着されて固定される。ここで、第１レンズ２１と第２レンズ２２とは、直接接着材により接着されない。これによって、レンズどうしを直接接着することにより、レンズの有効径内に接着材が流れ込み、光学系を劣化させることを避けることができる。
【００２９】
第一群枠５、第１のレンズ２１および第２のレンズ２２は、以上のように配置、構成されることによって、レンズ鏡筒１の内部の空間が外部から分離される。特に、第一群枠５、第１のレンズ２１および第２のレンズ２２が相互に密に接合している場合は、内部の空間は外部から密閉され、空気の移動による熱伝導が小さくなる。本発明では、第２レンズ２１の表面に凹凸部３１を設けることで、熱伝導の効率を高めている。
【００３０】
図３は、第２レンズ２２を像側より見た正面図である。第２レンズ２２の像側のレンズ表面には、光学有効径（Ｄ）の外側に、凹凸部３１が形成される。凹凸部３１は、レンズの径方向に放射状に延びる凹凸状の溝を有している。例えば、一例として第２レンズ２２の外径（Ｒ）を１２．７ｍｍ、光学有効径（Ｄ）を７．６７ｍｍとし、半径方向の余裕を０．３ｍｍとした場合、凹凸部３１は外径８．３ｍｍよりも外側に設けることができる。また、放射状に延びる凹凸の溝の数は、図３においては約７０本であるが、これよりも多くすることも少なくすることもできる。また、溝の幅および深さは、種々の値が設定可能であるが、例えば、本実施例では０．１〜０．２ｍｍ程度とすることが可能である。
【００３１】
なお、凹凸部３１は、種々の方法により形成することが可能である。例えば、レンズを型で成形する場合において、あらかじめ型に凹凸を設けておくことができる。あるいは、第２レンズ２２の外周部を肉厚に成形しておき、後から放射状の溝を切削加工して形成することも可能である。
【００３２】
このような凹凸部３１を設けることによって、第２レンズ２２の像側の表面積を拡大することができる。これにより、レンズ鏡筒１の外側、すなわち、第１レンズ２１の物体側と、レンズ鏡筒１の内側、すなわち、第２レンズ２２の像側との間で、温度差が生じた場合でも、第１レンズ２１から第２レンズ２２へと伝導されたレンズ鏡筒１の外部からの熱は、凹凸部３１が無い場合に比べて、第２レンズ２２の凹凸部３１からレンズ鏡筒１の内部へ効率良く伝熱される。また、逆方向の熱の流れについても同様に、レンズ鏡筒１内部からの熱を、凹凸部３１を介して第２レンズ２２に伝えることにより、熱伝導の効率を高めることができる。レンズ鏡筒１の内部と外部との間の熱伝導効率が高まると、レンズ鏡筒１の内部と外部との間に温度差が生じても速やかに解消される。したがって、第１レンズ２１と第２レンズ２２との温度差により生じる熱膨張による、レンズの歪や撓みの発生を低減することができる。
【００３３】
また、室内から室外へあるいは室外から室内へカメラを持って移動した場合を想定したとき、室内と室外との温度差が大きいと、レンズ鏡筒１内部の空間と外部との間の温度差のために、レンズの表面に結露が生じ易い。本実施の形態のレンズ鏡筒１では、レンズ鏡筒１の内部と外部との温度差がより生じにくいため、レンズ鏡筒１の内部および外部の温度差による結露の発生を抑制できる。
【００３４】
また、第２レンズ２２は、レンズの外周部２２ａでレンズを保持する部分（コバ部）が、レンズの中央部に比べ薄く、第１レンズ２１の第２の外周面２１ｂを外側から抱え込む形状となっている（図２参照）。このため、この外周部２２ａの変形により、第２レンズ２２は、外周部２２ａに対する中央部が物体方向に変位して反り返ったり、像方向に変位して撓んだりするなどの変形を受けることが懸念される。しかし、本実施の形態の第２レンズ２２の凹凸部３１は、光学有効径Ｄの外側を径方向に放射状に延びる形状となっているので、放射方向に対する曲げ応力に対して強い構造となっている。したがって、第２レンズ２２に生じる回転対称な反りや撓みを生じさせる力に対して高い強度を有し、第２レンズ２２の変形をさらに抑制することができる。
【００３５】
また、第１レンズ２１と第２レンズ２２とを、温度変化による径変化の差異を吸収できるように、隙間を設けて嵌合させているので、熱膨張係数の差異によりこれらレンズに歪が生じて光学特性が劣化することを抑制することができる。したがって、安価なプラスチック製のレンズを用いながら、温度変化に対する特性が良好なレンズ鏡筒１を提供することができる。また、第１レンズ２１と第２レンズ２２とは、それぞれ第一群枠５の突出部５ｃの異なる側面に当接されているので、レンズどうしを当てつけて位置決めする場合と比べて、レンズの有効光学面の間隔や傾きに誤りが生じ難く、修正も容易である。
【００３６】
（第二実施の形態）
第二実施の形態は、第一実施の形態に係るレンズ鏡筒１において、第２レンズ２２の凹凸部３１を異なる形状としたものである。図４は、本発明の第二実施の形態に係る第２レンズ２２を像側より見た正面図である。第２レンズ２２の凹凸部３１には、放射状の凹凸３１ａに加え、レンズ２２の周方向に延びる凹凸３１ｂが重ねて設けられている。すなわち、径方向に延びる凹凸３１ａを形成する溝を横切るように、周方向に延びる凹凸３１ｂを形成する溝が通っている。図１では、周方向に延びる凹凸３１ｂは１本の溝で構成され、凹凸部３１の内周側よりも外周側に近い部分に設けられている。しかし、凹凸３１ｂを形成する溝は１つに限られず、複数設けてもよい。また、径方向の凹凸３１ａを形成する溝の太さが一定で内周側に比べ外周側で凹凸が疎となるような場合、凹凸部３１の内周部よりも外周部側が密になるように、周方向に延びる凹凸３１ｂを設け、第２レンズ２２の凹凸部３１上での表面積の分布を均一に近づけることができる。その他の構成は、第１実施の形態と同様であるので、説明を省略する。
【００３７】
本実施の形態によれば、第２レンズ２２に周方向に延びる凹凸３１ｂを設けたので、第一実施の形態に係るレンズ鏡筒１の有する作用、効果に加え、第２レンズ２２の凹凸部３１の表面積がさらに大きくなるので、レンズ鏡筒１の内部と外部との間の熱伝導の効率をより高めることができる。また、周方向に延びる凹凸３１ｂを設けることで、凹凸部３１の熱伝導を、外周側と内周側との間で均一に近づけることができる。
【００３８】
（第三実施の形態）
図５は、本発明の第三実施の形態に係るレンズ鏡筒１の第一群レンズ５を含む部分を拡大して示す側面図である。第一群枠５、第１レンズ２１および第２のレンズ２２の形状、材質は、第一実施の形態とほぼ同様であるが、第２レンズ２２の位置決めの方法が異なる。第２レンズ２２は、第１レンズ２１の第２の外周面２１ｂの外側に像側からすきまばめ（遊嵌）される点は第一実施の形態と同様である。一方、第２レンズ２２は、光学有効径の外側で、物体側の面が第１レンズ２１の像側の面に当接することにより、光軸方向に位置決めされる。その他の構成は、第１実施の形態と同様であるので、同一構成要素には同一参照符号を付して説明を省略する。
【００３９】
本実施の形態によれば、第一実施の形態と同様に、第２レンズ２２の光学有効径の外側に凹凸部３１を設けるので、第一実施の形態と同様に、第１レンズ２１と第２レンズ２２との温度差により生じる熱膨張による、レンズの歪や撓みの発生を低減することができる。さらに、レンズ鏡筒１の内部および外部の温度差による結露の発生を抑制できる。また、第２レンズ２２の凹凸部３１は、光学有効径Ｄの外側を径方向に放射状に延びる形状となっているので、第２レンズ２２に生じる回転対称な反りや撓みを生じさせる力に対して高い強度を有し、第２レンズ２２の変形をさらに抑制することができる。
【００４０】
また、本実施の形態によれば、第１レンズ２１と第２レンズ２２とを、光学有効径の外側の外周どうしを当接させて位置決めしているので、第一実施の形態の第一群レンズ１１よりも、第１レンズ２１と第２レンズ２２との接触面積が大きく、より熱伝導効率を高めることができる。
【００４１】
（第四実施の形態）
図６は、本発明の第四実施の形態に係るレンズ鏡筒１の第一群レンズを含む部分を拡大して示す側面図である。第一群枠５は、第一群レンズを保持するために、レンズを保持する内周面が光軸を中心として円筒状となっている円筒部５ａを有している。この円筒部５ａは、段差を介して径の異なる２つの内周面５ｂ１，５ｂ２を有している。ここで物体側の内周面５ｂ１は、像側の内周面５ｂ２よりも径が大きい。
【００４２】
第一群レンズ１１を構成する第１レンズ２１と第２レンズ２２とは、第一実施の形態の第１レンズ２１および第２レンズ２２と同様の材質およびパワーを有するレンズである。第１レンズ２１は、第一群枠５の内周面５ｂ１より僅かに小さい径を有し、第一群枠５の物体側の開口部から円筒部５ａの物体側の内周面５ｂ１に当接するように嵌入され保持されるとともに、像側のレンズ表面の外周部が２つの内周面５ｂ１および５ｂ２の間の段差に当接して光軸方向に位置決めされる。また、第２レンズ２２の外周は第一群枠５の円筒部５ａの像側の内周面５ｂ２より僅かに小さく、第一群枠５の像側の開口部から、内周面５ｂ２内に嵌入され保持されるとともに、物体側のレンズ表面が光学有効径の外側で第１レンズ２１の像側の表面に当接して光軸方向に位置決めされる。
【００４３】
本実施の形態によれば、第一実施の形態と同様に、第２レンズ２２の光学有効径の外側に凹凸部３１を設けるので、第一実施の形態と同様に、第１レンズ２１と第２レンズ２２との温度差により生じる熱膨張による、レンズの歪や撓みの発生を低減することができる。さらに、レンズ鏡筒１の内部および外部の温度差による結露の発生を抑制できる。また、第２レンズ２２の凹凸部３１は、光学有効径Ｄの外側を径方向に放射状に延びる形状となっているので、第２レンズ２２に生じる回転対称な反りや撓みを生じさせる力に対して高い強度を有し、第２レンズ２２の変形をさらに抑制することができる。
【００４４】
なお、本発明は、上記実施の形態にのみ限定されるものではなく、幾多の変形または変更が可能である。たとえば、上記各実施の形態において、凹凸部３１を第２レンズ２２の像側の面に設けたが、凹凸部３１は第１レンズ２１の物体側の面に設けてもよく、あるいは、第１レンズ２１の物体側と第２レンズ２２の像側との双方に設けても良い。レンズの光学有効径の外側に設けられる凹凸部３１の表面積をより広くすることによって、光学系の性能を低下させることなく、レンズ鏡筒１の内部及び外部の間の熱伝導性を高めることができる。
【００４５】
また、本発明が適用されるのは、四群構成のレンズ鏡筒に限られず、二群以上のレンズ群を有するレンズ鏡筒に適用することが可能である。また、レンズ群は、第一群レンズに限られず、他のレンズ群とすることもできる。さらに、上記実施の形態では、第１レンズ２１を負のパワーを有するものとし、第２レンズ２２を正のパワーを有するものとしたが、これに限られず、種々のパワーを有するレンズの組み合わせに適用することが可能である。また、プラスチックレンズの材料としては、ゼオネックスやポリカーボネートを例示したがこれに限られず、種々の材料を用いることが可能である。
【符号の説明】
【００４６】
１    レンズ鏡筒
２    固定枠
３    回転枠
４    直進案内枠
５    第一群枠
５ａ    円筒部
５ｂ１，５ｂ２    内周面
５ｃ    突出部
６    第二群枠
７    シャッタ枠
８    第三群枠
９    第四群枠
１０    撮像素子
１１    第一群レンズ
１２    第二群レンズ
１３    第三群レンズ
１４    第四群レンズ
１６    バリア
２１    第１レンズ
２１ａ    第１の外周面
２１ｂ    第２の外周面
２２    第２レンズ
２２ａ    外周部
３１    凹凸部
３１ａ    径方向に延びる凹凸
３１ｂ    周方向に延びる凹凸
【図１】
2014013327.tif 000003
【図２】
2014013327.tif 000004
【図３】
2014013327.tif 000005
【図４】
2014013327.tif 000006
【図５】
2014013327.tif 000007
【図６】
2014013327.tif 000008